(57)【要約】      （修正有）【課題】椅子の占有空間を減少させることができる上、使用快適性を実現できる高さ調節椅子を提供する。【解決手段】本高さ調節椅子は、中空の管体１１を有する支持筒１を含む。管体１１上には、複数の位置決め孔１１１が設けられる。管体１１の一方の端部には、着座部が接続された支持フレーム３が嵌設される。支持フレーム３上には、位置決め孔１１１に貫設される位置決め柱３１が設けられる。管体１１には、内面に複数の帯状のガイドレール４２が対向配置された嵌合筒４が嵌設される。該嵌合筒４内には、背凭れ部が接続されたガイドロッド５が貫設される。該ガイドロッド５の両側面には、スライド溝５１が設けられる。ガイドロッド５が嵌合筒４に貫設されたとき、ガイドレール４２がスライド溝５１内に嵌合されることにより、ガイドロッド５をスライドさせることができる。【選択図】図１
0003169443.tif 000002
【実用新案登録請求の範囲】
【請求項１】
支持筒、支持フレーム、ガイドロッド及び背凭れフレームを備える高さ調節椅子であって、
前記支持筒は、中空の管体を有し、前記管体上には、螺合部材が貫設される上、複数の位置決め孔が軸方向に配列して設けられ、
前記支持フレームは、一方の端部に、前記管体が嵌設される上、位置決め柱が設けられ、前記位置決め柱が前記位置決め孔の中の１つに嵌設されることにより、前記支持フレームの他方の端部に接続された着座部の位置が調節され、
前記ガイドロッドは、前記管体内に貫設され、前記ガイドロッドの一方の側面には、複数の固定孔が設けられ、前記複数の固定孔の中の１つに、前記管体の螺合部材が貫設されることにより、前記管体における前記ガイドロッドの位置が調節され、
前記背凭れフレームは、前記ガイドロッド上に接続され、背凭れ部を接続するために用いられ、前記ガイドロッドの変移に伴い、前記背凭れ部の位置が調節されることを特徴とする高さ調節椅子。
【請求項２】
前記支持フレームは、嵌合管をさらに有し、前記嵌合管には、前記管体が嵌設される上、前記位置決め柱が設けられることを特徴とする請求項１に記載の高さ調節椅子。
【請求項３】
前記管体の一方の端部内には、嵌合筒が嵌設され、前記嵌合筒の周縁上には、凸縁が設けられ、前記凸縁は、前記嵌合筒を前記管体周縁に係合するために用いられ、前記嵌合筒内面上には、複数のガイドレールが対向配置されることを特徴とする請求項１に記載の高さ調節椅子。
【請求項４】
前記ガイドロッドの両側面には、スライド溝がそれぞれ設けられ、前記スライド溝は、前記ガイドレールを嵌合するために用いられ、前記ガイドロッドの複数の固定孔は、前記スライド溝上に設けられることを特徴とする請求項３に記載の高さ調節椅子。
【請求項５】
前記嵌合筒上には、前記嵌合筒及び前記ガイドレールを貫通する貫通孔が設けられ、前記貫通孔には、前記螺合部材が貫設されることを特徴とする請求項３又は４に記載の高さ調節椅子。
【請求項６】
前記ガイドロッドの他方の端部には、前記スライド溝を被覆するストッパリングが接続されることを特徴とする請求項５に記載の高さ調節椅子。
【請求項７】
前記背凭れフレームは、２つの対向端を有し、前記２つの対向端は、第１の接続部及び第２の接続部を有し、前記第１の接続部は、前記ガイドロッドに接続され、前記第２の接続部には、前記背凭れ部が接続され、前記第１の接続部と前記第２の接続部との間は、弧状の湾曲部を有することにより、前記背凭れ部が応力を受けたとき、前記背凭れフレームが変形することにより、前記背凭れ部に対し、弾性復元力が発生することを特徴とする請求項１に記載の高さ調節椅子。
【請求項８】
前記背凭れフレームの前記第１の接続部に近い端部上縁には、引き上げリングが設けられることを特徴とする請求項７に記載の高さ調節椅子。
【請求項９】
前記背凭れフレームの第２の接続部は、枢軸であり、前記枢軸の軸方向の両端が前記背凭れ部上に接続されることにより、前記背凭れ部の仰角を調節可能であることを特徴とする請求項７又は８に記載の高さ調節椅子。
【考案の詳細な説明】
【技術分野】
【０００１】
本考案は、椅子に関し、特に、背凭れ部及び着座部の高さを調節可能な椅子に関する。
【背景技術】
【０００２】
椅子は、日常生活における必需品であり、家、レストラン、職場などには、用途の異なる椅子が存在する。
【０００３】
椅子は、様々な実用性が求められるが、その中でも使用快適性が最も求められる。図７を参照する。図７に示す従来の椅子においては、く字形フレーム８０により、背凭れ部８１及び着座部８２の高さ調節及び支持が行われる。背凭れ部８１は、く字形の上フレーム８０１に貫設されることにより、上フレーム８０１上において、ユーザの需要に合わせて高さを調節することができる。また、下フレーム８０２上に接続される着座部８２もユーザの身長に合わせて高さを調節することができる。これにより、様々なユーザに適用させることができる。特に、児童が使用する場合、成長に合わせて背凭れ部８１及び着座部８２の高さを調節することができるため、使用快適性を実現することができる。
【０００４】
しかし、上述の従来の椅子は、く字形フレーム８０により、高さ調節が行われるため、多くの欠点を有する。例えば、く字形フレーム８０は、固定式のフレームであるため、所定の使用空間が占有されてしまい、空間を有効に利用できない。また、く字形フレーム８０は、固定式のフレームであるため、接続された背凭れ部８１を低い位置に調節したとき、く字形フレーム８０の最上端部８０３が背凭れ部８１の最高点から突出してしまう。これにより、ユーザが頭部を上げたとき、頭部が最上端部８０３にぶつかってしまう虞がある。特に、子供が使用する場合、この問題は、大きな問題であるため、解決が求められていた。
【先行技術文献】
【特許文献】
【０００５】
【特許文献１】特許公表２００６−５０５３５１号公報
【考案の概要】
【考案が解決しようとする課題】
【０００６】
本考案の目的は、背凭れ部が連結されたガイドロッドが中空の管体内をスライドすることにより、背凭れ部の高さ調節を行うことができ、これにより、空間を有効に利用することができる上、背凭れ部を最低位置に調節した場合でも、突出部がないため、保管又は運送に便利である上、ユーザの頭部が突出部にぶつかって怪我をする問題が発生しない高さ調節椅子を提供することにある。
【課題を解決するための手段】
【０００７】
上述の課題を解決するため、本考案の高さ調節椅子は、支持筒を含む。支持筒は、中空の管体を有する。管体上には、複数の位置決め孔が設けられる。管体の一方の端部は、着座部が接続された支持フレームに嵌設される。支持フレーム上には、管体の位置決め孔に貫設される位置決め柱が設けられる。また、管体上には、嵌合筒が嵌設される。嵌合筒の内面には、複数の帯状のガイドレールが対向配置される。また、嵌合筒内には、背凭れ部が接続されたガイドロッドが貫設される。ガイドロッドの両側面には、スライド溝が設けられているため、ガイドロッドが嵌合筒に貫設されたとき、ガイドレールがスライド溝内に嵌合される。これにより、ガイドロッドは、嵌合筒内をスライドする。上述の構造により、椅子の占有空間を減少させることができる上、使用快適性を実現できる。また、ユーザの頭部が突出部にぶつかって怪我をすることがない。
【考案の効果】
【０００８】
本考案の高さ調節椅子は、ガイドロッドが管体内においてスライドすることにより、背凭れ部の高さを調節することができる。また、これにより、占有空間を自由に調節することができる。また、背凭れ部が接続された背凭れフレームがガイドロッドの上端に接続される構造により、背凭れ部の高さを調節したとき、支持筒が背凭れ部より高い位置に突出することがない。これにより、ユーザが頭部を上げたとき、頭部が支持筒にぶつかって怪我をすることがない。
【図面の簡単な説明】
【０００９】
【図１】本考案の一実施形態による高さ調節椅子を示す分解斜視図である。
【図２】本考案の一実施形態による高さ調節椅子を示す斜視図である。
【図３】本考案の一実施形態による高さ調節椅子の着座部及び背凭れ部を低い位置に調節したときの状態を示す側面図である。
【図４】本考案の一実施形態による高さ調節椅子の着座部及び背凭れ部を高い位置に調節したときの状態を示す側面図である。
【図５】本考案の一実施形態による高さ調節椅子の背凭れ部を高い位置に調節したときの状態を示す断面図である。
【図６】本考案の一実施形態による高さ調節椅子の背凭れ部の可動状態を示す側面図である。
【図７】従来の椅子を示す側面図である。
【考案を実施するための形態】
【００１０】
本考案の目的、特徴および効果を示す実施形態を図面に沿って詳細に説明する。
【００１１】
図１及び図２を参照する。図１及び図２に示すように、本考案の一実施形態による高さ調節椅子は、支持筒１を含む。支持筒１は、中空の管体１１を有する。管体１１の一方の側面上には、螺合部材２が貫設される上、複数の位置決め孔１１１が軸方向に配列して設けられる。図５を同時に参照する。螺合部材２は、管体１１の中空部１１０に貫入される軸心２０を有する。
【００１２】
管体１１の中空部１１０内には、嵌合筒４が嵌設される。嵌合筒４の一方の端部上には、凸縁４１が設けられる。嵌合筒４は、凸縁４１により、管体１１の一方の端部の外縁上に嵌合固定される。また、嵌合筒４の内面には、複数の帯状のガイドレール４２が対向配置される。また、嵌合筒４の一方の側面上には、嵌合筒４及びガイドレール４２を貫通する貫通孔４３が設けられる。これにより、嵌合筒４が管体１１内に嵌設されたとき、貫通孔４３の位置が螺合部材２の位置に対応するため、螺合部材２の軸心２０を貫通孔４３に貫通させることができる。また、嵌合筒４内には、ガイドロッド５が貫設される。ガイドロッド５の両側面には、内部に凹陥したスライド溝５１がそれぞれ設けられる。これにより、ガイドロッド５が嵌合筒４に貫設されたとき、ガイドレール４２がスライド溝５１内に嵌合されるため、ガイドロッド５を嵌合筒４内においてスライドさせることができる。また、螺合部材２の位置に対応するスライド溝５１のスライド面上には、複数の固定孔５２が軸方向に配列して設けられる。複数の固定孔５２は、螺合部材２の軸心２０を貫入するために用いられ、これにより、ガイドロッド５の位置を固定することができる。
【００１３】
ガイドロッド５の一方の端部には、背凭れフレーム６が接続される。背凭れフレーム６の一方の端部は、背凭れ部２００を接続するために用いられる。背凭れフレーム６は２つの対向端部６０，６１を有する。対向端部６０は、第１の接続部６００を含み、対向端部６１は、第２の接続部６１０を含む。第１の接続部６００は、ガイドロッド５に接続され、第２の接続部６１０には、背凭れ部２００が接続される。第１の接続部６００は、プラスチック製の弾性嵌合部材であり、ガイドロッド５と接続された後、管体１１の中空部１１０内に嵌合される。第２の接続部６１０は、枢軸であり、枢軸の軸方向の両端が背凭れ部２００上に接続される。これにより、背凭れ部２００の仰角を調節することができる。ここで、背凭れフレーム６の第１の接続部６００と第２の接続部６１０との間は、弧状の湾曲部６２を有する。これにより、背凭れフレーム６が応力を受けたとき、変形し、弾性復元力が発生する。図６を同時に参照する。背凭れフレーム６の設計により、背凭れ部２００が応力を受けたとき、背凭れフレーム６が管体１１の方向に変形する上、背凭れ部２００に対して弾性復元力が発生する。これにより、ユーザの背部を背凭れ部２００に密着させることができ、好適な支持及び使用快適性を実現できる。背凭れフレーム６の第１の接続部６００に近い上縁には、引き上げリング６３が設けられる。引き上げリング６３を使用することにより、椅子を移動させる作業を簡単に行うことができる。ガイドロッド５の他方の端部には、スライド溝５１を被覆するストッパリング７が嵌合される。ストッパリング７は、ガイドロッド５がガイドレール４２から脱落するのを防止するために用いられる。
【００１４】
支持筒１上には、支持フレーム３が嵌設される。支持フレーム３の一方の端部には、嵌合管３１が設けられる。嵌合管３１は、支持筒１上をスライドさせるために用いられる。嵌合管３１の一方の側面には、位置決め柱３２が設けられる。位置決め柱３２は、支持筒１の任意の位置決め孔１１１中に貫設される。位置決め柱３２を位置決め孔１１１に貫設する位置を変更することにより、支持フレーム３の位置を変更することができる。支持フレーム３の他方の端部には、固定板３３が設けられる。固定板３３上には、複数の接続柱３３１が設けられる。接続柱３３１は、着座部１００を接続するために用いられる。着座部１００の位置は、背凭れ部２００の位置よりも低い。
【００１５】
図３〜図５を参照する。図３〜図５は、本考案の一実施形態による高さ調節椅子の操作方法を示す図である。図３〜図５に示すように、本考案の一実施形態による高さ調節椅子の支持筒１底部には、キャスター３００が連結されることにより、高さ調節椅子を簡単にスライド移動させることができる。また、前述の引き上げリング６３を握持することにより、椅子をスライド移動させることができる。支持フレーム３上の位置決め柱３２を支持筒１上に設けられた位置決め孔１１１に貫設する位置を調節することにより、支持フレーム３に接続された着座部１００の高さを調節することができる。図３は、着座部１００が低い位置に調節された状態を示す。図４は、着座部１００が高い位置に調節された状態を示す。また、嵌合筒４内において、ガイドロッド５をスライドさせ、螺合部材２をガイドロッド５上の固定孔５２に位置合わせすることにより、背凭れ部２００の高さを調節することができる。図３においては、背凭れ部２００が低い位置に調節されている。図４においては、背凭れ部２００が高い位置に調節されている。図５を同時に参照する。ガイドロッド５が所定の高度に引上げられたとき、ガイドロッド５の端部に接続されたストッパリング７が嵌合筒４のガイドレール４２下縁に当接されることにより、ガイドロッド５が管体１１から脱落するのが防止される。
【００１６】
上述の説明から分かるように、本考案の高さ調節椅子は、管体１１内において、ガイドロッド５がスライドすることにより、背凭れ部２００の高さを調節することができる。また、これにより、占有空間を自由に調節することができる。また、背凭れ部２００が接続された背凭れフレーム６がガイドロッド５の上端に接続される構造により、背凭れ部２００の高さを調節したとき、支持筒１が背凭れ部２００より高い位置に突出することがない。これにより、ユーザが頭を上げたとき、支持筒１にぶつかって怪我をすることがない。
【００１７】
上述の実施形態は、本考案の好適な実施形態を示したものであり、本考案の実用新案登録請求の範囲を限定するものではなく、本考案の実用新案登録請求の範囲及び明細書の同等効果である変更又は修飾は、全て本考案の範囲に含まれる。
【符号の説明】
【００１８】
１  支持筒
１１  管体
１１０  中空部
１１１  位置決め孔
２  螺合部材
２０  軸心
３  支持フレーム
３１  嵌合管
３２  位置決め柱
３３  固定板
３３１  接続柱
４  嵌合筒
４１  凸縁
４２  ガイドレール
４３  貫通孔
５  ガイドロッド
５１  スライド溝
５２  固定孔
６  背凭れフレーム
６０  対向端
６１  対向端
６００  第１の接続部
６１０  第２の接続部
６２  湾曲部
６３  引き上げリング
７  ストッパリング
１００  着座部
２００  背凭れ部
３００  キャスター
【図１】
0003169443.tif 000003
【図２】
0003169443.tif 000004
【図３】
0003169443.tif 000005
【図４】
0003169443.tif 000006
【図５】
0003169443.tif 000007
【図６】
0003169443.tif 000008
【図７】
0003169443.tif 000009